(57)【特許請求の範囲】
【請求項１】
真空箱に無端状多孔吸着ベルトを設けて感光性シートロールからカットされた記録シートを搬送し、同記録シートの先端を係止して傾きを修正するストッパを設ける製版機の露光台装置において、記録シートの送り方向に隣り合いかつ内部真空圧を独立的に制御できる複数のチャンバとして前記真空箱の内部を仕切り、ストッパによる記録シートの係止時に、同マスターストッパ対応チャンバ以外のチャンバの真空圧を一時的に減じ、同記録シートの停止後に、同チャンバの真空圧を増大させることを特徴とする製版機の露光台装置。
【請求項２】
前記ストッパは前記記録シートの搬送方向に対して直角な方向に対向した一対の棒状ストッパであり、前記真空箱の内部は、記録シートの搬送方向の順に第１から第３チャンバの３個の部屋に分割され、露光台装置への同記録シートの取り込み時にあっては、先ず全部のチャンバに真空圧が作用され、第３チャンバ位置に設けられるマスターセンサの記録シート記録信号で第１及び第２チャンバの真空圧のみが一時的に減じられ、前記多孔吸着ベルトの停止およびストッパの係止による記録シートの完全停止後に同第１及び第２チャンバの真空圧が増大されて記録シートの搬送方向後端部が多孔吸着ベルトの表面に吸着され、記録シート全面の多孔吸着ベルトへの吸着状態を保って記録シート全面の多孔吸着ベルトへの吸着状態を保って記録シートの露光を行うことを特徴とする請求項１記載の製版機の露光台装置。
【発明の詳細な説明】
【０００１】
【発明の属する技術分野】
本発明は記録シートの表面に原稿画像を露光するのに用いる露光台装置に関し、特に感光性シートロールを用いる製版機に適した露光台装置に関する。
【０００２】
【背景技術】
例えば、本件特許出願人の出願である特許第２６６９３０２号公報に示されているように、印刷原版である印刷マスターを作成する製版機においては、図６に示すような露光台装置が感光性マスターシート（記録シート）Ｘの表面に原稿画像を露光するのに用いられる。
即ち、この露光台装置はブロアＡにより内部に真空圧が作用される真空箱Ｂを備え、一面を開放された同真空箱Ｂには真空圧でマスターシートＸを吸着できる無端状の多孔吸着ベルトＣが設けられる。そして、同露光台装置にはマスターシートＸの先端を検知できるマスターセンサＤ及び同マスターセンサＤの先端面を係止できる幅方向に対向した一対のマスターストッパＥが付設され、これらのマスターストッパＥにマスターシートＸの先端を係止させることにより傾いたマスターシートＸの向きが修正される。
【０００３】
ところで、同上特許公報にもあるように、最近の製版機では、ボビンに巻かれたマスターシートロールが用いられ、同マスターシートロールから引き出されたウエブ状感光シートが切断されてマスターシートＸとして用いられるけれども、ボビンに巻かれたマスターシートロールには”巻グセ”があり、同”巻グセ”により切断されたマスターシートＸが自然体で円弧状にカールしてしまう問題がある。つまり、この”巻グセ”は、紙ベースの酸化亜鉛紙に比較して、最近開発された腰の強い樹脂シートベースやアルミ箔ベースで特に問題になる。
具体的にいうと、前述した露光台装置において、腰の強い”巻グセ”のあるマスターシートＸを多孔吸着ベルトＣで搬送する場合、真空箱Ｂの真空圧が弱いと、図６に示すように、”巻グセ”によりマスターシートＸが多孔吸着ベルトＣから浮き上がり、マスターシートＸの平面性が低下して露光される画像の品質が劣化する。
【０００４】
【発明が解決しようとする課題】
このため、腰の強い”巻グセ”のあるマスターシートＸを取り扱う露光台装置では、真空箱Ｂの真空圧を増大させ、多孔吸着ベルトＣの表面にマスターシートＸの全面を強く吸着してマスターシートＸの平面性を維持する対策を採っているけれども、この真空圧強化対策によると、マスターシートＸが傾いて搬送された場合に新たな問題が生じる。
即ち、真空圧を増大させて多孔吸着ベルトＣの表面にマスターシートＸの全面を強く密着させると、同マスターシートＸが傾いて搬送された場合、一方のマスターストッパＥにマスターシートＸの前端が当たってマスターシート全体の傾きが矯正されようとしても、全面に亘った多孔吸着ベルトに対するマスターシートＸの強い密着力によりマスターシート全体の傾き調整は行われず、図７に示すように、マスターストッパＥに当たったマスターシートＸの一部のみが、”巻グセ”によって多孔吸着ベルトＣの表面から浮き上がった状態となる。
【０００５】
つまり、マスターシートＸのこのような局部的な”尺取り状態”が生じると、マスターストッパＥの傾き修正機能自体が無効化するばかりでなく、露光画像の「ユガミ」が引き起こされ、マスターの画像品質劣化の原因となる。
【０００６】
本発明の目的は、以上に述べたような従来の製版機の露光台装置の問題に鑑み、カールし易い腰の強い記録シートであっても、ストッパにより傾き修正が確実に行われ、原稿画像露光字の記録シートの平面性を保持できる製版機の露光台装置を得るにある。
【０００７】
【課題を解決するための手段】
この目的を達成するため、本発明は、真空箱に無端状多孔吸着ベルトを設けて感光性シートロールからカットされた記録シートを搬送し、同記録シートの先端を係止して傾きを修正するストッパを設ける製版機の露光台装置において、記録シートの送り方向に隣り合いかつ内部真空圧を独立的に制御できる複数のチャンバとして前記真空箱の内部を仕切り、ストッパによる記録シートの係止時に、同マスターストッパ対応チャンバ以外のチャンバの真空圧を一時的に減じ、同記録シートの停止後に、同チャンバの真空圧を増大させることを特徴とする製版機の露光台装置を提案するものである。
【０００８】
後述する本発明の好ましい実施例の説明においては、
１）前記ストッパは前記記録シートの搬送方向に対して直角な方向に対向した一対の棒状ストッパであり、前記真空箱の内部は、記録シートの搬送方向の順に第１から第３チャンバの３個の部屋に分割され、露光台装置への同記録シートの取り込み時にあっては、先ず全部のチャンバに真空圧が作用され、第３チャンバ位置に設けられるマスターセンサの記録シート記録信号で第１及び第２チャンバの真空圧のみが一時的に減じられ、前記多孔吸着ベルトの停止およびストッパの係止による記録シートの完全停止後に同第１及び第２チャンバの真空圧が増大されて記録シートの搬送方向後端部が多孔吸着ベルトの表面に吸着され、記録シート全面の多孔吸着ベルトへの吸着状態を保って記録シート全面の多孔吸着ベルトへの吸着状態を保って記録シートの露光を行う製版機の露光台装置
が説明される。
【０００９】
【発明の実施の形態】
以下、図面に示す本発明を施された製版機の実施例を説明する。
図１は必要に応じてデジタル画像または原稿画像を処理できるデジタル製版機の全体断面を示し、外部光を遮光できる機体１の右下部にはそれぞれサイズの異なったマスターシートロールを装架できる第１給紙装置２Ａ及び第２給紙装置２Ｂが内蔵される。
【００１０】
これらの第１給紙装置２Ａ及び第２給紙装置２Ｂは、マスターシートロールを取り付けられる着脱自在な装架ドラム２ａ、マスターシートＸの先端を引き出す繰出ローラ２ｂ、同マスターシートＸを指定された長さに切断するカッター２ｃ、給紙ローラ２ｄをそれぞれ備え、切断されたマスターシートＸは第１パス３ａ及び第２パス３ｂを通って、前記第１給紙装置２Ａの上部にある給紙パス３に送り出される。
同給紙パス３の途中にはマスターシートＸに荷電を行う帯電電極ユニット４が設けられ、同帯電電極ユニット４を通ったマスターシートＸは副走査速度で調速駆動される機体１の上部中央のフィードロール５に供給される。
また、前記給紙パス３の上部には図１の紙面と直角な主操作方向に原稿画像を走査するレーザ走査ユニット６が位置され、図示を省略するコンピュータなどからのデジタル画像が同レーザ走査ユニット６からフィードロール５の表面に走査される。
【００１１】
フィードロール５に位置したマスターシートＸの表面にはフィードロール５の調速回転下にレーザ走査ユニット６から原稿画像がビーム走査され、同走査によりマスターシートＸの感光面に原稿画像が潜像化されるが、同潜像化マスターシートＸは、中間案内ユニット７を通って機体１の略中央部に略垂直向きに配置した露光台装置８に供給され、同露光台装置８から機体１の左下部にある湿式現像装置９に引き渡される。
また、機体１の左上部には原稿画像を光学的に取り込む原稿台１０が設けられ、同原稿台１０上の原稿の画像は露光光学系１１を用いて前記露光台装置８の表面に投影される。即ち、図示露光光学系１１は原稿がセットされる原稿台１０を照明する照明ランプ１１ａ、原稿画像を露光台８ａの表面に結像する投影レンズ１１ｂ、ミラー１１ｃとから構成される。
【００１２】
前述した湿式現像装置９はマスターシートＸが通過される現像パレット１２上に現像液を噴出する現像液ノズル１３を有し、マスターシートＸの搬送方向に下降傾斜された前記現像パレット１２の下方には現像液を回収する現像液槽１４が位置してある。
また、前記現像パレット１２の後端部には絞りローラ装置１５が位置してあり、同絞りローラ装置１５の後述する絞りローラの回転運動によりマスターシートＸの表面の余剰の現像液が除去される。
【００１３】
原稿画像を現像されたマスターシートＸは湿式現像装置７の出口側に隣り合わされた加熱定着装置１６で乾燥されてトナー画像を定着され、機体１の左側下部に設ける排紙ローラ１７の排出運動で機体１外部の捕集トレー１８上に捕集されることになる。
【００１４】
図２から図４は前述した露光台装置８の詳細を示し、この露光台装置８は前記露光光学系１１に対向した表面を開放された真空箱２１を備え、この真空箱２１の内部は水平方向の２本の仕切り壁２３，２４によりマスターシートＸの搬送方向に隣り合った第１チャンバ２５、第２チャンバ２６、第３チャンバ２７に仕切られる。
また、図４に示すように、前記真空箱２１の背面には前記第１チャンバ２５、第２チャンバ２６、第３チャンバ２７に対応された３対の第１ブロア３１、第２ブロア３２、第３ブロア３３が据え付けられ、これらの第１ブロア３１、第２ブロア３２、第３ブロア３３のブロアモータ３１ａ，３２ａ，３３ａにより対応する各第１チャンバ２５、第２チャンバ２６、第３チャンバ２７の内部真空圧が独立的に制御される。
【００１５】
一方、図２及び図３に戻って、前記真空箱２１の上下には一対のベルト駆動ローラ３５，３６が架設され、これらのベルト駆動ローラ３５，３６間にはマスターシートＸを吸着して搬送できる多孔吸着ベルト３７が掛けられる。これらのベルト駆動ローラ３５，３６は図２に示すベルト搬送モータ４１で回転制御される駆動ベルト４３，４４によりそれぞれ駆動される。
【００１６】
前記第３チャンバ２７の上部寄りの露光台装置８の幅方向中央部には搬送されるマスターシートＸの先端を検出するマスターセンサ４５が位置され、このマスターセンサ４５のマスター検出信号によりベルト搬送モータ４１及びブロアモータ３１ａ，３２ａ，３３ａが制御されるが、これらの制御タイミングの詳細は、図５のフローチャートを用いた後述の説明から明らかになる。
【００１７】
また、前記第３チャンバ２７の下部寄りの位置には露光台装置８の幅方向に対向した一対のマスターストッパ４７，４８が配置され、これらのマスターストッパ４７，４８により傾いて搬送された露光台装置８の傾き修正が行われる。
即ち、図３に示すように、両マスターストッパ４７，４８は真空箱２１に対して出没自在に支持されており、これらのマスターストッパ４７，４８には中間部を真空箱２１に枢支されたベルクランク５１の一側辺５１ａが係合され、同ベルクランク５１ｂの他側辺は露光終了時に励磁される電磁ソレノイド５３で操作される。
【００１８】
次ぎに、図６に示すフローチャートを用いて、露光台装置８でのマスターシートＸの処理を詳細に説明する。
先ず、プリントスタート時にあっては、ベルト搬送モータ４１が回転開始されて多孔吸着ベルト３７が駆動されると同時的に第１ブロア３１、第２ブロア３２、第３ブロア３３の全部のブロアモータ３１ａ，３２ａ，３３ａが駆動されると共に、電磁ソレノイド５３が励磁されてマスターストッパ４７，４８が突出状態におかれる（ステップＳ１）。このため、全部の第１チャンバ２５、第２チャンバ２６、第３チャンバ２７の内部真空圧が増大されるから、多孔吸着ベルト３７の送り運動に伴ってマスターシートＸの全面が強く多孔吸着ベルト３７の表面に吸着されて露光台装置８の表面上に取り込まれる。したがって、カールし易いマスターシートＸであっても、多孔吸着ベルト３７の表面から浮き上がることなく、平面性を保った状態で搬送が行われる。
【００１９】
次ぎに、マスターシートＸが充分に露光台装置８に取り込まれてマスターセンサ４５がマスターシートＸの先端を検出すると（ステップＳ２）、第１チャンバ２５及び第２チャンバ２６に対応したブロアモータ  が停止される（ステップＳ３）。このため、第１チャンバ２５及び第２チャンバ２６の内部の真空圧が減圧するので、第３チャンバ２７の位置にあるマスターシートＸの先端部以外の部分に対する吸着力が弱くなる。
【００２０】
この後、マスターシートＸの先端がマスターストッパ４７，４８の位置に到達するまでの時間を待つ（ステップＳ４）。
この待ち時間中に、図２に２点鎖線で示すように、マスターシートＸが傾いた状態で搬送されてくると、同マスターシートＸの先端が先ずいずれかのマスターストッパ４７，４８に当接して矢印方向の偶力がマスターシートＸに作用する。
この結果、マスターシートＸの先端部のみしかマスターシートＸは多孔吸着ベルト３７に吸着されていないので、同マスターシートＸは同偶力で傾き、１点鎖線示のように傾き修正状態となる。
【００２１】
傾き修正待ち時間の経過後に、ベルト搬送モータ４１が停止されると同時的に、再び第１ブロア３１及び第２ブロア３２のブロアモータ  が励磁され（ステップＳ５）、マスターシートＸが静止され、しかも第１ブロア３１及び第２ブロア３２の真空圧の増強によりマスターシートＸの全面が多孔吸着ベルト３７の表面に強く吸着されて一部の浮きが防止され、マスターシートＸの平面性が確保される。
【００２２】
次ぎに、マスターシートＸの全面吸着を待った後（ステップＳ６）、電磁ソレノイド５３が励磁されてマスターストッパ４７，４８が真空箱２１内へ引っ込められて、露光の準備が完了する（ステップＳ７）。
マスターストッパ４７，４８が完全に引っ込められるまでの時間を待ち（ステップＳ８）、照明ランプ１１ａが点灯され（ステップＳ９）、一定時間の原稿画像の露光が行われ（ステップＳ１０）、照明ランプ１１ａが消灯される（ステップＳ１１）。
【００２３】
照明ランプ１１ａの完全な消灯を待ち（ステップＳ１２）、ベルト搬送モータ４１が再度励磁され（ステップＳ１３）、多孔吸着ベルト３７の駆動によりマスターシートＸが位置から排出されるが、排出時間経過後に（ステップＳ１４）、ベルト搬送モータ４１が停止されると共に、全部の第１ブロア３１、第２ブロア３２、第３ブロア３３のブロアモータ３１ａ，３２ａ，３３ａが停止されて露光処理が完了する。
【００２４】
なお、前述した本発明の実施例においては、製版機に適用した露光台装置を説明したが、記録シートに画像を露光する他の機器の露光台装置としても実施できる。また、同実施例においては、３個のチャンバに分割した例を挙げたけれども、本発明は３分割に限定されるものではなく、マスターストッパ４７，４８も一対の棒状のものを例示したが、マスターシートＸの幅方向に延びた定規状ストッパであってもよい。
【００２５】
【発明の効果】
以上の説明から明らかなように、本発明によれば、カールし易い”巻グセ”のある記録シート（マスターシート）の平面性を保って、しかも傾き修正機能を維持できる露光台装置を得ることができる。
【図面の簡単な説明】
【図１】本発明による製版機の全体断面図である。
【図２】同製版機に用いる露光台装置の正面図である。
【図３】同露光台装置の断面図である。
【図４】同露光台装置の背面図である。
【図５】同露光台装置の制御フローである。
【図６】カールの強いマスターシートの場合の従来の露光台装置の説明図である。
【図７】傾いたマスターシート停止時の同露光台装置の説明図である。
【符号の説明】
Ｘ          マスターシート
８          露光台装置
２１        真空箱
２３，２４  仕切り壁
２５        第１チャンバ
２６        第２チャンバ
２７        第３チャンバ
３１        第１ブロア
３２        第２ブロア
３３        第３ブロア
３７        多孔吸着ベルト
４１        ベルト搬送モータ
４５        マスターセンサ
４７，４８  マスターストッパ
５３        電磁ソレノイド
【図１】
0003693019.tif 000002
【図２】
0003693019.tif 000003
【図３】
0003693019.tif 000004
【図４】
0003693019.tif 000005
【図５】
0003693019.tif 000006
【図６】
0003693019.tif 000007
【図７】
0003693019.tif 000008